(57)【要約】【課題】  コネクタを介して回路基板に接続されるハーネスの不正交換を防止する。【解決手段】  スロットマシンに搭載されたサブ制御基板２５を収容する基板ケース４０は、ケース本体部４１とケース蓋部５０を備え、ケース本体部４１にケース蓋部５０を装着して形成されるケース内部に基板側コネクタ７０，７０'を端部に実装したサブ制御基板２５を収容する。ケース本体部４１にケース蓋部５０を装着すると、コネクタ連通孔部５４が形成される。基板側コネクタ７０，７０'にケーブル側コネクタ８０，８０'を接続すると、これらコネクタのハーネス側の端面は蓋側周壁部５２の内側に配置される。コネクタ連通孔部５４に蓋部材６０，６１を切り離し可能に設け、これらの蓋部材６０，６１のいずれかを切り離したときに開口する開口部分５４ａ，５４ｂの大きさは、開口部分に対向配置した基板側コネクタ７０，７０'に接続されるケーブル側コネクタ８０，８０'より小さい。【選択図】  図６
2006239218.tif 000002
【特許請求の範囲】
【請求項１】
遊技機に取り付けられるケース本体部と、該ケース本体部に装着されるケース蓋部とを備え、前記ケース本体部に前記ケース蓋部を装着して形成されるケース内部に基板側コネクタを端部に実装した回路基板を収容し、前記ケース本体部に前記ケース蓋部を装着すると、前記基板側コネクタに対向する側の前記ケース本体部及び前記ケース蓋部の少なくともいずれかの周壁部に形成された切り欠き部によってコネクタ連通孔部を形成する基板ケースにおいて、
前記ケース内部に収容された回路基板は、前記基板側コネクタに接続されたケーブル側コネクタを前記周壁部より内側に配置し、
前記切り欠き部の内側に切り離し可能に設けられて前記コネクタ連通孔部を塞ぐ複数の蓋部材を有し、
前記基板側コネクタに対向配置された蓋部材を切り離したときに開口する開口部分の大きさが、前記基板側コネクタに接続されるケーブル側コネクタの大きさより小さいことを特徴とする基板ケース。
【請求項２】
前記開口部分の幅方向長さは、前記ケーブル側コネクタの対応する長さより短いことを特徴とする請求項１に記載の基板ケース。
【請求項３】
前記開口部分の高さ方向長さは、前記ケーブル側コネクタの対応する長さより短いことを特徴とする請求項１又は２に記載の基板ケース。
【請求項４】
前記蓋部材は、前記コネクタ連通孔部を形成する周壁部に繋がって切断可能な接続部を介して接続されることを特徴とする請求項１から３のいずれかに記載の基板ケース。
【請求項５】
前記開口部分の幅方向長さは、前記ケーブル側コネクタに繋がるケーブルの厚さより少なくとも大きいことを特徴とする請求項１から４のいずれかに記載の基板ケース。
【発明の詳細な説明】
【技術分野】
【０００１】
本発明は、基板ケースに関し、さらに詳細には、遊技機内に取り付けられてケース内部に収容された回路基板に実装された基板側コネクタにケーブル側コネクタを接続可能な基板ケースに関する。
【背景技術】
【０００２】
従来より、パチンコやスロットマシンには、各種の基板が実装されている。例えば、遊技の進行等を制御しつつ抽選等を行うメイン制御基板や、音の出力やランプ等の点灯等の演出を制御するサブ制御基板や、電源の供給制御を行う電源制御基板等がある。
【０００３】
パチンコやスロットマシンでは、正規の基板やＲＯＭ以外のものが使用されると、遊技機の出球率が正規の値と異なる値となって公正な遊技の提供ができなくなるので、正規以外の基板やＲＯＭの使用を禁止する必要がある。そこで、例えば、メイン制御基板やサブ制御基板は、一旦封印されると、開封できない基板ケース内に収容されている。一方、メイン制御基板と、サブ制御基板及び電源制御基板との間は、ハーネスによって電気的に接続され、電気信号の送受信や電源の供給が可能になっている。
【０００４】
これら基板間の電気的接続は、一般的にコネクタによって行われる（特許文献１参照）。この特許文献１に記載のコネクタは、図７（斜視図）に示すように、基板側に実装された基板側コネクタ７０と、基板側コネクタ７０に接続可能なケーブル側コネクタ８０とを有して構成される。基板側コネクタ７０は、内部に空間部を形成して一端側が開口した基板側本体部７１と、空間部内に配設された複数の基板側電極７２と、基板側本体部７１の外面に形成された係合部７３とを有してなる。一方、ケーブル側コネクタ８０は、基板側コネクタ７０の空間部に嵌挿可能なケーブル側本体部８１と、このケーブル側本体部８１に装着されて対応する基板側電極７２と接触する複数のケーブル側端子と、ケーブル側本体部８１の外面に設けられて係合部７３に係止可能なロック部材８２とを有してなる。
【０００５】
基板側コネクタ７０を実装した回路基板は、端部にコネクタ連通孔部を有した基板ケースに収容される。基板側コネクタ７０はコネクタ連通孔部を介して露出し、この孔部を介して基板側コネクタ７０にケーブル側コネクタ８０が接続される。
【０００６】
【特許文献１】特開２００３−３２５９１１号公報（図１０〜図１２参照）
【発明の開示】
【発明が解決しようとする課題】
【０００７】
前述した特許文献１に記載の基板側コネクタを収容する基板ケースは、基板側コネクタがコネクタ連通孔部を介して露出するので、基板側コネクタに対するケーブル側コネクタの挿抜操作が容易である一方、ケーブル側コネクタを基板側コネクタから抜脱して正規以外の部品が接続されたハーネスと交換される虞がある。そして、このような不正なハーネスの交換が行われると、遊技機の出球率が正規の値と異なる値となって、公正な遊技の提供ができなくなるという問題が発生する。
【０００８】
そこで、ハーネスを、コネクタを介さずに直接に回路基板に半田付け等して接続すれば、ハーネスの不正交換を高い抑止力を持って防止することができる。しかしながら、ハーネスを回路基板に直接に半田付け等する作業は煩わしい。また基板ケース内に回路基板を設置した後にハーネスを接続した方が、製造作業の作業性は良い。このため、基板間をハーネスで接続する場合、ハーネスの先端部を基板上に直接固定するよりコネクタを用いて接続して、基板のみを取り外すことができるようにすることが好ましい。
【０００９】
本発明は、コネクタを介して回路基板に接続されるハーネスの不正交換を防止することができる基板ケースが求められており、このような要望に応える基板ケースを提供することを目的とする。
【課題を解決するための手段】
【００１０】
このような課題を解決するため、本発明は、遊技機（例えば、実施形態におけるスロットマシン１）に取り付けられるケース本体部と、該ケース本体部に装着されるケース蓋部とを備え、ケース本体部にケース蓋部を装着して形成されるケース内部に基板側コネクタを端部に実装した回路基板（例えば、実施形態におけるサブ制御基板２５）を収容し、ケース本体部にケース蓋部を装着すると、基板側コネクタに対向する側のケース本体部及びケース蓋部の少なくともいずれかの周壁部（例えば、実施形態における蓋側周壁部５２）に形成された切り欠き部によってコネクタ連通孔部を形成する基板ケースにおいて、ケース内部に収容された回路基板は、基板側コネクタに接続されたケーブル側コネクタを周壁部より内側に配置し、切り欠き部の内側に切り離し可能に設けられてコネクタ連通孔部を塞ぐ複数の蓋部材を有し、基板側コネクタに対向配置された蓋部材を切り離したときに開口する開口部分の大きさが、基板側コネクタに接続されるケーブル側コネクタの大きさより小さいことを特徴とする。
【００１１】
この発明によれば、回路基板は基板側コネクタに接続されたケーブル側コネクタを周壁部より内側に配置し、コネクタ連通孔部に複数の蓋部材を設け、基板側コネクタに対向配置された蓋部材を切り離したときに開口する開口部分の大きさが基板側コネクタに接続されるケーブル側コネクタの大きさより小さくすることにより、ケース本体部にケース蓋部が装着された状態にあるときに、基板側コネクタに接続されたケーブル側コネクタを引き抜こうとすると、ケーブル側コネクタが、開口部分に隣接する蓋部材や周壁部の内面に当接する。このため、基板側コネクタに接続されたケーブル側コネクタを抜脱することができない。一方、基板側コネクタに対向配置された蓋部材が切り離されて基板ケースに開口部分が形成されている場合、この開口部分の大きさはケーブル側コネクタのそれよりも小さいので、開口部分にケーブル側コネクタを通すことができず、ケーブル側コネクタを基板側コネクタに接続することができない。このため、ケース本体部にケース蓋部が固定状態で装着されている場合には、この固定状態を壊してケース蓋部をケース本体部から取り外さなければ、コネクタの挿抜操作ができない。その結果、高い抑止力を有して基板側コネクタに繋がるケーブルの不正交換を防止することができる。
【００１２】
また本発明は、開口部分の幅方向長さが、ケーブル側コネクタの対応する長さより短いことを特徴とする。
【００１３】
この発明によれば、開口部分の幅方向長さがケーブル側コネクタの対応する長さより短くすることにより、基板側コネクタに接続されたケーブル側コネクタを抜脱方向に引っ張ると、ケーブル側コネクタが開口部分の幅方向に隣接する蓋部材や周壁部の内面に当接する。一方、ケーブル側コネクタを基板ケースの外側から基板ケース内の基板側コネクタに接続しようとすると、ケーブル側コネクタが開口部分の幅方向に隣接する蓋部材や周壁部の外面に当接する。このため、ケーブル側コネクタの挿抜を確実に規制することができる。
【００１４】
また本発明は、開口部分の高さ方向長さが、ケーブル側コネクタの対応する長さより短いことを特徴とする。
【００１５】
この発明によれば、開口部分の高さ方向長さがケーブル側コネクタの対応する長さより短くすることにより、基板側コネクタに接続されたケーブル側コネクタを抜脱方向に引っ張ると、ケーブル側コネクタが開口部分に隣接する周壁部の内面に当接する。一方、ケーブル側コネクタを基板ケースの外側から基板ケース内の基板側コネクタに接続しようとすると、ケーブル側コネクタが開口部分に隣接する周壁部の外面に当接する。このため、ケーブル側コネクタの挿抜を確実に規制することができる。
【００１６】
また本発明は、蓋部材が、コネクタ連通孔部を形成する周壁部に繋がって切断可能な接続部を介して接続されることを特徴とする。
【００１７】
この発明によれば、蓋部材を切断可能な接続部を介して接続することにより、蓋部材を引っ張ると接続部が積極的に切断されて、蓋部材を周壁部から容易に切り離すことができる。このため、蓋部材の切り離し作業を容易にすることができる。
【００１８】
さらに本発明は、開口部分の幅方向長さがケーブル側コネクタに繋がるケーブルの厚さより少なくとも大きいことを特徴とする。
【００１９】
この発明によれば、開口部分の幅方向長さをケーブル側コネクタに繋がるケーブルの厚さより少なくとも大きくすることにより、ケーブル側コネクタに繋がるケーブルを開口部分に通して外部に延ばすことができる。このため、基板ケースにケース蓋部を装着するときに、ケーブルが挟まれる事態が抑制されて、ケーブルの損傷を未然に防止することができる。
【発明の効果】
【００２０】
本発明によれば、回路基板は基板側コネクタに接続されるケーブル側コネクタを周壁部より内側に配置し、コネクタ連通孔部に切り離し可能に接続された複数の蓋部材を設け、基板側コネクタに対向配置された蓋部材を切り離したときに開口する開口部分の大きさを、基板側コネクタに接続されるケーブル側コネクタの大きさより小さくすることで、コネクタを介して回路基板に接続されるケーブルの不正交換を防止することができる基板ケースを提供することができる。
【発明を実施するための最良の形態】
【００２１】
以下、本発明に係わる基板ケースの好ましい実施の形態を図１から図７に基づいて説明する。本実施の形態は、基板ケースを、遊技機の一例であるスロットマシンに搭載した場合について説明する。先ず、本発明の基板ケースを説明する前に、これを搭載したスロットマシンについて説明する。
【００２２】
スロットマシン１は、図１（正面図）及び図２（斜視図）に示すように、遊技者に面するフロントドア１０と、フロントドア１０を開閉自在に取り付けた筐体３０とを有して構成される。フロントドア１０は、矩形状の枠組みに機械的に強固な硬質プラスチック製のパネル部１１を取り付けて構成され、パネル部１１の上部には、演出用の上部ランプ１１ａ、スピーカを備えた放音部１１ｂ，１１ｃ、液晶ディスプレイ等で形成された演出表示装置１１ｄが配設されている。パネル部１１の中間部には、透明な硬質プラスチック板で形成された略長方形状の透過窓ＷＤと演出用ランプ１１ｅ，１１ｆが設けられ、筐体３０内に設けられたリール装置３１のリールＲ１、Ｒ２、Ｒ３を、遊技者が透過窓ＷＤを介して見ることが可能となっている。
【００２３】
パネル部１１の中間部の下側には、遊技者が操作するための操作パネル部１６が設けられ、この操作パネル部１６には各種のボタン等（メダル投入部ＭＤ、ベットボタンＢ１，Ｂ２，Ｂ３、スタートレバーＳＴ、ストップボタンＳＰ１，ＳＰ２，ＳＰ３、精算ボタンＭＲ）が設けられている。
【００２４】
操作パネル部１６の右端には、フロントドア１０を開錠するための鍵穴ＫＹが設けられ、鍵穴ＫＹに正規の鍵を挿入して開錠操作すると、フロントドア１０を筐体３０から開くことが可能となっている。
【００２５】
パネル部１１の下部には、本スロットマシン１のゲーム内容を紹介等するための絵（図示略）が描かれるとともに、遊技メダルを払い出すための排出口１１ｇ、メダル受皿１１ｈ、放音部１１ｉが設けられている。
【００２６】
フロントドア１０の裏面側の上部には、前述した放音部１１ｂ，１１ｃのスピーカＳＲ，ＳＬが設けられ、スピーカＳＲ，ＳＬの間には前述した演出表示装置１１ｄが設けられている。演出表示装置１１ｄの下方には、透過窓ＷＤを形成する略長方形状の枠体１７が取り付けられており、この枠体１７の下方には、メダル投入部ＭＤより投入された投入物が正規の遊技メダルか否かを判別して振り分けるセレクト機構Ｇ０と、セレクト機構Ｇ０で振り分けられた遊技メダルを筐体３０側に設けられたホッパ装置ＨＰへ案内するガイド部材Ｇ１と、セレクト機構Ｇ０で振り分けられた異物を排出口１１ｇへ案内するガイド部材Ｇ２と、ホッパ装置ＨＰから出力される払い出し用のメダルを排出口１１ｇへ案内するガイド部材Ｇ３とが設けられている。排出口１１ｇの近傍には、前述した放音部１１ｉを構成するスピーカＳＷが取り付けられている。
【００２７】
枠体１７とセレクト機構Ｇ０との間には、長尺状の電気回路基板で形成された中央表示基板１９が取り付けられ、この中央表示基板１９には、前述した操作パネル部１６に設けられているベットボタンＢ１，Ｂ２，Ｂ３と、スタートレバーＳＴと、ストップボタンＳＰ１，ＳＰ２，ＳＰ３等が電気的に配線接続されている。これらのボタンＢ１，Ｂ２，Ｂ３，ＳＴ，ＳＰ１，ＳＰ２，ＳＰ３の出力信号はハーネスを介して筐体３０に設けられたメイン制御基板３３に転送される。
【００２８】
筐体３０内には、主電源装置ＰＷＵと、ホッパ装置ＨＰから溢れた遊技メダルを収容する補助貯留部ＳＨＰが設けられる他、前述したリール装置３１が設けられている。主電源装置ＰＷＵの側面には電源装置基板３４が取り付けられ、リール装置３１の上端には回胴装置基板３５が取り付けられ、リール装置３１の上方には前述したメイン制御基板３３が取り付けられている。メイン制御基板３３は、半導体メモリ（ＲＯＭ）とマイクロプロセッサ（ＭＰＵ）等が搭載されており、このマイクロプロセッサ（ＭＰＵ）が、半導体メモリ（ＲＯＭ）に予め記憶されているシステムプログラムとスロットマシンゲーム用のプログラムを実行し、電源装置基板３４、回胴装置基板３５及び後述するサブ制御基板２５に所定の指令を行って夫々に分散制御を行わせることにより、本スロットマシン１全体を集中制御する。
【００２９】
演出表示装置１１ｄの裏面側には、電気回路基板で形成されたサブ制御基板２５が設けられている。このサブ制御基板２５は、演出表示装置１１ｄによって表示される演出画像の制御を行うマイクロプロセッサと、このマイクロプロセッサが実行するコンピュータプログラム及び演出用データを記憶した読み出し専用メモリ（ＲＯＭ）と、演出処理の実行中に生じる各種データを一時的に記憶するランダムアクセスメモリ（ＲＡＭ）等を備えた電気回路が搭載されている。そして、このサブ制御基板２５は、メイン制御基板３３からの制御信号に従って、上部ランプ１１ａ、演出用ランプ１１ｅ，１１ｆとスピーカＳＲ、ＳＬ、ＳＷを駆動して遊技者の視覚及び聴覚に訴える演出を行うと共に、演出表示装置１１ｄを制御して遊技内容に応じた演出表示を行わせる。
【００３０】
このサブ制御基板２５は、不正行為を防止するための基板ケース４０内に収容されており、この基板ケース４０ごと一体として演出表示装置１１ｄの裏面側に着脱可能に取り付けられている。図では、サブ制御基板２５に実装されたコネクタ及びこのコネクタに接続されたハーネス等の記載を省略して表示している。
【００３１】
基板ケース４０は、図３（斜視図）に示すように、前述した演出表示装置１１ｄの裏面側に取り付けられるケース本体部４１と、このケース本体部４１に装着されるケース蓋部５０とを備える。ケース本体部４１及びケース蓋部５０は、合成樹脂材料製であり、一体成形によって形成される。ケース本体部４１は、前述したサブ制御基板２５を搭載して固定する長方形状のベース部に、ベース部の外周を囲むように立設された本体側周壁部４３を形成して、前側が開口して略矩形箱型状に形成されている。一方、ケース蓋部５０は、ケース本体部４１の開口する前側を覆うようにして配置される天板部５１に、この外周を囲むように立設された蓋側周壁部５２を形成して、略矩形箱型状に形成されている。基板ケース４０は、ケース蓋部５０をケース本体部４１に装着すると、内部にサブ制御基板２５を収容可能な空間部４０ａを形成する。
【００３２】
ケース蓋部５０の天板部５１の角部には挿着孔５１ａが形成されており、これらの挿着孔５１ａにカシメ部材（図示せず）を挿入して回動すると、カシメ部材によってケース蓋部５０とケース本体部４１との分離ができなくなる。つまり、カシメ部材によってケース蓋部５０がケース本体部４１に固定されると、カシメ部材を破断等しない限り、ケース蓋部５０をケース本体部４１から分離することができない。
【００３３】
ケース蓋部５０の一方側の蓋側周壁部５２には、図３及び図４（斜視図）に示すように、矩形状の切り欠き部５３が形成されている。この切り欠き部５３は、ケース蓋部５０をケース本体部４１に装着すると、本体側周壁部４３の先端部と相まってコネクタ連通孔部５４を形成する。コネクタ連通孔部５４は、蓋側周壁部５２に沿って延び、基板ケース４０内に収容されたサブ制御基板２５の端部に並べられて実装された２つの基板側コネクタに対向する位置に形成されている。コネクタ連通孔部５４の大きさについては後述する。なお、サブ制御基板２５はケース本体部４１にねじ等の締め付け治具によって着脱可能に固定されている。
【００３４】
コネクタ連通孔部５４の内側には、蓋側周壁部５２に繋がって切り離し可能な接続部６２を介して接続された２つの蓋部材６０，６１が設けられている。これらの蓋部材６０，６１は、蓋側周壁部５２に沿って延びる板状部材であり、これらの蓋部材６０，６１によってコネクタ連通孔部５４を塞いでいる。
【００３５】
接続部６２はミシン目状に所定間隔を有して複数形成されており、接続部６２を支点として蓋部材６０，６１を横方向に揺動させると、接続部６２が破断して蓋部材６０，６１を切り離すことができる。なお、接続部６２は、ミシン目状に形成される他に、蓋部材６０，６１の周りを薄肉の溝状に形成されてもよい。なお、蓋部材６０，６１の大きさについては後述する。
【００３６】
サブ制御基板２５に実装された基板側コネクタ７０，７０'は、図７に示すように、内部に空間部７１ａを形成して先端側が開口した基板側本体部７１と、空間部７１ａ内に配設された複数の基板側電極７２と、基板側本体部７１の外面に形成された係合部７３とを有してなる。基板側コネクタ７０，７０'は、その先端側開口部が図５（ｂ）に示す基板ケース４０のコネクタ連通孔部５４に面するようにサブ制御基板２５に実装されている。そして、基板側コネクタ７０，７０'は、図５（ａ）（平面図）及び（ｃ）（断面図）に示すように、サブ制御基板２５の端部に幅方向に並べられた状態で配置されるとともに、ケース蓋部５０の蓋側周壁部５２の内側に配置されている。
【００３７】
一方、基板側コネクタ７０，７０'に接続されるケーブル側コネクタ８０，８０'は、図７に示すように、基板側本体部７１の空間部７１ａに嵌挿可能なケーブル側本体部８１と、このケーブル側本体部８１に装着されて対応する基板側電極７２と接触する複数のケーブル側端子（図示せず）と、ケーブル側本体部８１の外面に設けられて係合部７３に係止可能なロック部材８２と、複数のケーブル側端子に電気的に接続されて基端部側から延出するハーネス８３とを有してなる。
【００３８】
ケーブル側本体部８１のハーネス側の端部には高さ方向に突出する一対の突出部８１ａが形成されている。これらの突出部８１ａは、ケーブル側コネクタ８０，８０'が基板側コネクタ７０，７０'に挿着されると、基板側コネクタ７０，７０'の周壁部７１ｂの端面を覆うようにして当接する。またケーブル側コネクタ８０，８０'のロック部材８２が設けられた側の周壁部には基板側コネクタ７０，７０'に設けられた案内溝７４に沿って係合可能な一対の突起部８４が突設されている。ケーブル側コネクタ８０，８０'の幅方向長さＬｃ，Ｌｃ'は、ケーブル側本体部８１の幅方向長さＬｋ，Ｌｋ'と略同一である。一方、ケーブル側コネクタ８０，８０'の高さＨｃは、突出部８１ａの一方側の端部から突起部８４の先端までの距離である。また、基板側コネクタ７０，７０'にケーブル側コネクタ８０，８０'を接続すると、ケーブル側コネクタ８０，８０'のケーブル側の端面８１ｂは、図５（ｃ）に示すケーブル蓋部５０の周壁部５２の内面より内側に配置される。このため、ケーブル側コネクタ８０，８０'に繋がるハーネス８３が周壁部５２に圧接する事態を防止することができる。
【００３９】
さて、基板ケース４０に形成されたコネクタ連通孔部５４は、図６（側面拡大図）に示すように、幅方向の寸法Ｌｈがサブ制御基板２５に実装された２つの基板側コネクタ７０，７０'に接続されるケーブル側コネクタ８０，８０'の対応する幅方向寸法Ｌｋ，Ｌｋ'より大きく、高さ寸法Ｈｈがケーブル側コネクタ８０，８０'の対応する高さ寸法Ｈｋ，Ｈｋ'と略同一寸法を有して開口している。つまり、コネクタ連通孔部５４の大きさは、ケーブル側コネクタ８０，８０'のそれぞれよりも大きい。このため、コネクタ連通孔部５４を介して基板側コネクタ７０，７０'にケーブル側コネクタ８０，８０'を挿抜することが可能となり、不正なハーネスの交換を許容してしまう。
【００４０】
そこで、コネクタ連通孔部５４の内側には、２つの蓋部材６０，６１が設けられている。一方側の蓋部材６０は、ケーブル側コネクタ８０に対向する位置に配置されて、コネクタ連通孔部５４の一方側を塞ぐ。他方側の蓋部材６１は、ケーブル側コネクタ８０'に対向する位置に配置されて、コネクタ連通孔部５４の他方側を塞ぐ。一方側の蓋部材６０によって覆われるコネクタ連通孔部５４の開口部分５４ａの大きさは、ケーブル側コネクタ８０のそれより小さい。即ち、この開口部分５４ａの幅方向長さＬａはケーブル側コネクタ８０のそれ（Ｌｋ）より小さい。また、他方側の蓋部材６１によって覆われるコネクタ連通孔部５４の開口部分５４ｂの大きさは、ケーブル側コネクタ８０'のそれより小さい。即ち、この開口部分５４ｂの幅方向長さＬａ'はケーブル側コネクタ８０'のそれ（Ｌｋ'）より小さい。
【００４１】
このように蓋部材６０，６１を設けると、基板側コネクタ７０にケーブル側コネクタ８０を接続し、一方側の蓋部材６０を切り離して開口した一方側の開口部分５４ａからケーブル側コネクタ８０から延びるハーネスを通して、ケース本体部４１にケース蓋部５０を固定した状態で、ケーブル側コネクタ８０を抜脱しようとすると、ケーブル側コネクタ８０が蓋側周壁部５２や他方側の蓋部材６１の内面に当接してケーブル側コネクタ８０の抜脱を規制する。また、基板側コネクタ７０'にケーブル側コネクタ８０'を接続し、他方側の蓋部材６１を切り離して開口した他方側の開口部分５４ｂからケーブル側コネクタ８０'から延びるハーネスを通した状態で、ケーブル側コネクタ８０'を抜脱しようとすると、ケーブル側コネクタ８０'が蓋側周壁部５２や一方側の蓋部材６０の内面に当接してケーブル側コネクタ８０'の抜脱を規制する。
【００４２】
さらに、ケース本体部４１にケース蓋部５０を固定し、一方側の蓋部材６０を切り離し、他方側の蓋部材６１を蓋側周壁部５２に繋げたままの状態で、基板ケース４０の外側から基板側コネクタ７０にケーブル側コネクタ８０を接続しようとすると、ケーブル側コネクタ８０が蓋側周壁部５２や他方側の蓋部材６１の外面に当接してケーブル側コネクタ８０の挿入を規制する。また、ケース本体部４１にケース蓋部５０を固定し、他方側の蓋部材６１を切り離し、一方側の蓋部材６０を蓋側周壁部５２に繋げたままの状態で、基板ケース４０の外側から基板側コネクタ７０'にケーブル側コネクタ８０'を接続しようとすると、ケーブル側コネクタ８０'が蓋側周壁部５２や一方側の蓋部材６０の外面に当接してケーブル側コネクタ８０'の挿入を規制する。
【００４３】
つまり、一旦ケース本体部４１にケース蓋部５０が固定状態で装着されると、ケース蓋部５０とケース本体部４１との固定状態を壊さなければ、基板側コネクタ７０，７０'に接続されたケーブル側コネクタ８０，８０'を抜脱することができず、また基板ケース４０の外側から基板側コネクタ７０，７０'にケーブル側コネクタ８０，８０'を接続することもできない。このため、高い抑止力を有して基板側コネクタ７０，７０'に接続されたケーブル側コネクタ８０，８０'から延びるハーネスの不正交換を防止することができる。
【００４４】
また開口部分５４ａ，５４ｂの幅方向長さＬａ，Ｌａ'は、ケーブル側コネクタ８０，８０'に繋がるハーネス８３の厚さより大きい。このため、これらのハーネスを確実に開口部分５４ａ，５４ｂに通して外部に延ばすことができ、またケース本体部４１にケース蓋部５０を装着するときに、ハーネス８３が挟まれる事態が抑制されて、ハーネス８３の損傷を未然に防止することができる。
【００４５】
なお、前述した実施例では、サブ制御基板２５に２つの基板側コネクタ７０，７０'を実装した場合の例を示したが、３つ以上の基板側コネクタを実装したサブ制御基板２５を基板ケース４０内に収容してもよい。この場合には、コネクタ連通孔部５４を塞ぐ蓋部材を基板側コネクタの数に応じて複数個設ける。
【００４６】
また前述した実施例では、２つの基板側コネクタ７０，７０'のそれぞれに接続されるケーブル側コネクタ８０，８０'の挿抜を規制するように構成したが、いずれか一方のみの挿抜を規制するようにしてもよい。この場合、ケーブル側コネクタ８０の挿抜のみを規制する場合には、他方側の蓋部材６１の幅方向長さを長くするとともに、これによって覆われる開口部分５４ｂの幅方向長さを長くする。
【００４７】
また前述した実施例では、蓋部材６０，６１が切り離されることによって開口する開口部分５４ａ，５４ｂの幅方向長さがケーブル側コネクタ８０，８０'の対応する長さより短くした例を示したが、開口部分５４ａ，５４ｂの高さ方向長さがケーブル側コネクタ８０，８０'の対応する長さより短くしてもよい。
【００４８】
さらに前述した実施例では、サブ制御基板２５を収容した基板ケース４０を例に説明したが、メイン制御基板３３や回胴装置基板３５等を収容する基板ケースについても、サブ制御基板２５を収容した基板ケース４０と同様の構成にすることで、これらの基板に繋がるハーネスの不正交換を高い抑止力で防止することができる。
【００４９】
またケース蓋部５０とケース本体部４１とは不正改造を防止する観点から透明な材料で形成されることが好ましいが、いわゆる色つきの透明色にしてもよい。このようにケース蓋部５０及びケース本体部４１を透明な材料で形成することで、基板側コネクタ７０，７０'に接続されているケーブル側コネクタ８０，８０'がコネクタ連通孔部５４より大きいことが確認できるので、ケーブル側コネクタ８０，８０'の挿抜が困難であることがわかり、ハーネス８３の不正交換行為に対してより高い抑止力を発揮することができる。
【００５０】
また前述した実施例では、コネクタ連通孔部５４が矩形状である場合を例にして説明したが、ケーブル側コネクタ８０，８０'の挿抜を規制するとともにハーネス８３の通過を許容するものであれば、円形、三角形、楕円形等でもよい。
【００５１】
さらに前述した実施例では、スロットマシン１を例にしたが、パチンコやゲームセンタで用いられているゲーム機などを対象にしてもよい。
【図面の簡単な説明】
【００５２】
【図１】本発明の一実施の形態に係わる基板ケースを搭載したスロットマシンの正面図を示す。
【図２】このスロットマシンのフロントドアを開けた状態におけるフロントドア及び筐体の内部構造図を示す。
【図３】基板ケースの斜視図を示す。
【図４】基板ケースの一部を構成するケース蓋部の斜視図を示す。
【図５】基板ケースを示し、同図（ａ）は基板ケースの平面図であり、同図（ｂ）は基板ケースの側面図であり、同図（ｃ）は同図（ａ）のV−V矢視に相当する部分の基板ケースの断面図である。
【図６】図５（ｂ）のＡ矢視で示した部分の拡大側面図を示す。
【図７】基板側コネクタとこれに接続されるケーブル側コネクタの斜視図を示す
【符号の説明】
【００５３】
１  スロットマシン（遊技機）
２５  サブ制御基板（回路基板）
４０  基板ケース
４１  ケース本体部
５０  ケース蓋部
５２  蓋側周壁部（周壁部）
５３  切り欠き部
５４  コネクタ連通孔部
５４ａ，５４ｂ  開口部分
６０，６１  蓋部材
６２  接続部
７０，７０'  基板側コネクタ
８０，８０'  ケーブル側コネクタ
８１ｂ  端面
８３  ハーネス（ケーブル）
【図１】
2006239218.tif 000003
【図２】
2006239218.tif 000004
【図３】
2006239218.tif 000005
【図４】
2006239218.tif 000006
【図５】
2006239218.tif 000007
【図６】
2006239218.tif 000008
【図７】
2006239218.tif 000009